(57)【要約】【課題】  Ｉ２Ｓ信号をパルストランスを使用して絶縁すること。【解決手段】  オーディオ信号が無音（振幅値が０Ｖ）である場合に、ＤＡＴＡ信号のＬチャンネルのデータＤＬｉは、「００００００００・・・」と「０」が続き、直流信号となってしまう。しかし、変調部２で生成される第２のＬチャンネルオーディオ信号は、ＬＲＣＫ信号のハイレベルの期間においては「０００００・・」であり、ＬＲＣＫ信号のローレベルの期間においては「１１１１１・・」であるので、その結果、第２のＬチャンネルオーディオ信号は交流信号と見なすことが可能となる。従って、第２のＬチャンネルオーディオ信号を、パルストランス３を使用して絶縁することができる。【選択図】図２
2013026925.tif 000002
【特許請求の範囲】
【請求項１】
第１チャンネルのオーディオデータと第２チャンネルのオーディオデータとをワード単位で交互にシリアルに配列してなる配列データと、前記配列データのワードデータを識別するためのワードクロックと、前記配列データのビットデータを識別するためのビットクロックとで構成される第１のデジタルオーディオ信号が入力される入力手段と、
前記第１のデジタルオーディオ信号の前記配列データから、前記ワードクロックの一方のレベルの期間に前記第１チャンネルのオーディオデータを含み、かつ、前記ワードクロックの他方のレベルの期間に前記第１チャンネルのオーディオデータの補数を含む第２の第１チャンネルオーディオ信号と、前記ワードクロックの他方のレベルの期間に前記第２チャンネルのオーディオデータを含み、かつ、前記ワードクロックの一方のレベルの期間に前記第２チャンネルのオーディオデータの補数を含む第２の第２チャンネルオーディオ信号とを生成する変調手段と、
前記変調手段からの前記第２の第１チャンネルオーディオ信号と、前記第２の第２チャンネルオーディオ信号とを後段回路に供給するパルストランスとを備える、オーディオ信号伝送装置。
【請求項２】
ＬチャンネルのオーディオデータとＲチャンネルのオーディオデータとをワード単位で交互にシリアルに配列してなる配列データと、前記配列データのワードデータを識別するためのワードクロックと、前記配列データのビットデータを識別するためのビットクロックとで構成される第１のデジタルオーディオ信号が入力される入力手段と、
前記第１のデジタルオーディオ信号の前記配列データから、前記ワードクロックの一方のレベルの期間に前記Ｌチャンネルのオーディオデータを含み、かつ、前記ワードクロックの他方のレベルの期間に前記Ｌチャンネルのオーディオデータの補数を含む第２のＬチャンネルオーディオ信号と、前記ワードクロックの他方のレベルの期間に前記Ｒチャンネルのオーディオデータを含み、かつ、前記ワードクロックの一方のレベルの期間に前記Ｒチャンネルのオーディオデータの補数を含む第２のＲチャンネルオーディオ信号とを生成する変調手段と、
前記変調手段からの前記第２のＬチャンネルオーディオ信号と、前記第２のＲチャンネルオーディオ信号とを後段回路に供給するパルストランスとを備える、オーディオ信号伝送装置。
【請求項３】
前記パルストランスからの前記第２のＬチャンネルオーディオ信号と、前記第２のＲチャンネルオーディオ信号とから、前記第１のデジタルオーディオ信号の前記配列データを生成する復調手段とをさらに備える、請求項２に記載のオーディオ信号伝送装置。
【請求項４】
前記パルストランスからの前記第２のＬチャンネルオーディオ信号をＬチャンネルのアナログオーディオ信号に変換する第１のデジタルアナログ変換器と、
前記パルストランスからの前記第２のＲチャンネルオーディオ信号をＲチャンネルのアナログオーディオ信号に変換する第２のデジタルアナログ変換器とをさらに備える、請求項２に記載のオーディオ信号伝送装置。
【発明の詳細な説明】
【技術分野】
【０００１】
本発明は、ＬチャンネルのオーディオデータとＲチャンネルのオーディオデータとをワード単位で交互にシリアルに配列してなる配列データと、前記配列データのワードデータを識別するためのワードクロックと、前記配列データのビットデータを識別するためのビットクロックとで構成されるデジタルオーディオ信号を伝送するオーディオ信号伝送装置に関する。
【背景技術】
【０００２】
オーディオ装置において、デジタルオーディオ信号をデジタルインターフェースからＤＡＣ（デジタル−アナログ変換器）に伝送する際のフォーマットとして、Ｉ２Ｓといったシリアルデータフォーマットが存在する。
【０００３】
図６は、Ｉ２Ｓのデジタルオーディオ信号を示す図である。Ｉ２Ｓのデジタルオーディオ信号は、ＬチャンネルのオーディオデータとＲチャンネルのオーディオデータとを混合したオーディオデータＤＡＴＡ（以下、ＤＡＴＡ信号という。）と、このＤＡＴＡ信号のワードデータを識別するためのワードクロックＬＲＣＫ（以下、ＬＲＣＫ信号という。）と、オーディオデータＤＡＴＡのビットデータを識別するためのビットクロックＢＣＬＫ（以下、ＢＣＬＫ信号という。）とで構成されている。
【０００４】
より具体的には、ＤＡＴＡ信号は、同一のサンプリング位置のＬチャンネルのデータＤＬｉとＲチャンネルのデータＤＲｉとをペアにし、各ペアをサンプリング順に配列したシリアルのデータ（ＤＬ１／ＤＲ１、ＤＬ２／ＤＲ２、…ＤＬｍ／ＤＲｍ）である。なお、データＤＬｉ、ＤＲｉは、それぞれｎビットデータで構成され、このｎビットデータが１ワードデータに相当する。
【０００５】
ＬＲＣＫ信号は、ＤＡＴＡ信号の１ワードデータＤＬｉ／ＤＲｉを１周期とするクロックであり、図６では、ＬＲＣＫ信号のハイレベルの期間がＤＡＴＡ信号のＬチャンネルのワードデータＤＬｉに同期し、ＬＲＣＫ信号のローレベルの期間がＤＡＴＡ信号のＲチャンネルのワードデータＤＲｉに同期している。ＢＣＬＫ信号は、ＤＡＴＡ信号のビットデータに同期したクロックである。
【０００６】
ここで、デジタルインターフェースとＤＡＣとの間を絶縁することを考える。通常は高速フォトカプラ等の素子が使用される。しかしながら、フォトカプラは、特殊なデバイスであり入手性に難があり、高価である。そこで、安価な絶縁素子として、パルストランスを使用することが考えられる。ＬＲＣＫ信号や、ＢＣＬＫ信号は、オフセットを有する交流信号と見なすことができるので、パルストランスによって絶縁することが可能である。しかしながら、ＤＡＴＡ信号は、例えば、オーディオ信号が無音である場合、各ビットデータが全て０になってしまうので、交流信号ではなく、直流信号となってしまう。その結果、ＤＡＴＡ信号については、パルストランスで絶縁することができない場合がある。
【先行技術文献】
【特許文献】
【０００７】
【特許文献１】特開２００９−３０３０９９号
【発明の概要】
【発明が解決しようとする課題】
【０００８】
本発明は上記従来の課題を解決するためになされたものであり、その目的は、ＬチャンネルのオーディオデータとＲチャンネルのオーディオデータとをワード単位で交互にシリアルに配列してなる配列データと、前記配列データのワードデータを識別するためのワードクロックと、前記配列データのビットデータを識別するためのビットクロックとで構成されるデジタルオーディオ信号をパルストランスによって絶縁することができるオーディオ信号伝送装置を提供することにある。
【課題を解決するための手段】
【０００９】
本発明の好ましい実施形態によるオーディオ信号伝送装置は、第１チャンネルのオーディオデータと第２チャンネルのオーディオデータとをワード単位で交互にシリアルに配列してなる配列データと、前記配列データのワードデータを識別するためのワードクロックと、前記配列データのビットデータを識別するためのビットクロックとで構成される第１のデジタルオーディオ信号が入力される入力手段と、  前記第１のデジタルオーディオ信号の前記配列データから、前記ワードクロックの一方のレベルの期間に前記第１チャンネルのオーディオデータを含み、かつ、前記ワードクロックの他方のレベルの期間に前記第１チャンネルのオーディオデータの補数を含む第２の第１チャンネルオーディオ信号と、前記ワードクロックの他方のレベルの期間に前記第２チャンネルのオーディオデータを含み、かつ、前記ワードクロックの一方のレベルの期間に前記第２チャンネルのオーディオデータの補数を含む第２の第２チャンネルオーディオ信号とを生成する変調手段と、前記変調手段からの前記第２の第１チャンネルオーディオ信号と、前記第２の第２チャンネルオーディオ信号とを後段回路に供給するパルストランスとを備える。
【００１０】
第２の第１チャンネルオーディオ信号は、ワードクロックの一方のレベルの期間に第１チャンネルのオーディオデータを含み、かつ、ワードクロックの他方のレベルに期間に第１チャンネルのオーディオデータの補数を含む。また、第２の第２チャンネルオーディオ信号は、ワードクロックの他方のレベルの期間に第２チャンネルのオーディオデータを含み、かつ、ワードクロックの一方のレベルの期間に第２チャンネルのオーディオデータの補数を含む。
【００１１】
ここで、オーディオ信号が無音（振幅値が０Ｖ）である場合に、第１チャンネルのオーディオデータは、「００００００００・・・」と「０」が続き、直流信号となってしまう。しかし、第２の第１チャンネルオーディオ信号は、ワードクロックの一方のレベルの期間においては「０００００・・」であり、ワードクロックの他方のレベルの期間においては「１１１１１・・」であるので、その結果、第２の第１チャンネルオーディオ信号は交流信号と見なすことが可能となる。従って、第２の第１チャンネルオーディオ信号を、パルストランスを使用して絶縁することができる。
【００１２】
同様に、オーディオ信号が無音（振幅値が０Ｖ）である場合に、第２チャンネルのオーディオデータは、「００００００００・・・」と「０」が続き、直流信号となってしまう。しかし、第２の第２チャンネルオーディオ信号は、ワードクロックの他方のレベルの期間においては「０００００・・」であり、ワードクロックの一方のレベルの期間においては「１１１１１・・」であるので、その結果、第２の第２チャンネルオーディオ信号は交流信号と見なすことが可能となる。従って、第２の第２チャンネルオーディオ信号を、パルストランスを使用して絶縁することができる。
【００１３】
本発明の好ましい実施形態によるオーディオ信号伝送装置は、ＬチャンネルのオーディオデータとＲチャンネルのオーディオデータとをワード単位で交互にシリアルに配列してなる配列データと、前記配列データのワードデータを識別するためのワードクロックと、前記配列データのビットデータを識別するためのビットクロックとで構成される第１のデジタルオーディオ信号が入力される入力手段と、前記第１のデジタルオーディオ信号の前記配列データから、前記ワードクロックの一方のレベルの期間に前記Ｌチャンネルのオーディオデータを含み、かつ、前記ワードクロックの他方のレベルの期間に前記Ｌチャンネルのオーディオデータの補数を含む第２のＬチャンネルオーディオ信号と、前記ワードクロックの他方のレベルの期間に前記Ｒチャンネルのオーディオデータを含み、かつ、前記ワードクロックの一方のレベルの期間に前記Ｒチャンネルのオーディオデータの補数を含む第２のＲチャンネルオーディオ信号とを生成する変調手段と、前記変調手段からの前記第２のＬチャンネルオーディオ信号と、前記第２のＲチャンネルオーディオ信号とを後段回路に供給するパルストランスとを備える。
【００１４】
第２のＬチャンネルオーディオ信号は、ワードクロックの一方のレベルの期間にＬチャンネルのオーディオデータを含み、かつ、ワードクロックの他方のレベルに期間にＬチャンネルのオーディオデータの補数を含む。また、第２のＲチャンネルオーディオ信号は、ワードクロックの他方のレベルの期間にＲチャンネルのオーディオデータを含み、かつ、ワードクロックの一方のレベルの期間にＲチャンネルのオーディオデータの補数を含む。
【００１５】
ここで、オーディオ信号が無音（振幅値が０Ｖ）である場合に、Ｌチャンネルのオーディオデータは、「００００００００・・・」と「０」が続き、直流信号となってしまう。しかし、第２のＬチャンネルオーディオ信号は、ワードクロックの一方のレベルの期間においては「０００００・・」であり、ワードクロックの他方のレベルの期間においては「１１１１１・・」であるので、その結果、第２のＬチャンネルオーディオ信号は交流信号と見なすことが可能となる。従って、第２のＬチャンネルオーディオ信号を、パルストランスを使用して絶縁することができる。
【００１６】
同様に、オーディオ信号が無音（振幅値が０Ｖ）である場合に、Ｒチャンネルのオーディオデータは、「００００００００・・・」と「０」が続き、直流信号となってしまう。しかし、第２のＲチャンネルオーディオ信号は、ワードクロックの他方のレベルの期間においては「０００００・・」であり、ワードクロックの一方のレベルの期間においては「１１１１１・・」であるので、その結果、第２のＲチャンネルオーディオ信号は交流信号と見なすことが可能となる。従って、第２のＲチャンネルオーディオ信号を、パルストランスを使用して絶縁することができる。
【００１７】
好ましい実施形態においては、オーディオ信号伝送装置は、前記パルストランスからの前記第２のＬチャンネルオーディオ信号と、前記第２のＲチャンネルオーディオ信号とから、前記第１のデジタルオーディオ信号の前記配列データを生成する復調手段をさらに備える。
【００１８】
この場合、パルストランスを通した後の第２のＬチャンネルオーディオ信号と、第２のＲチャンネルオーディオ信号とから、元の第１のデジタルオーディオ信号の配列データを生成し後段に供給することができる。
【００１９】
好ましい実施形態においては、オーディオ信号伝送装置は、前記パルストランスからの前記第２のＬチャンネルオーディオ信号をＬチャンネルのアナログオーディオ信号に変換する第１のデジタルアナログ変換器と、前記パルストランスからの前記第２のＲチャンネルオーディオ信号をＲチャンネルのアナログオーディオ信号に変換する第２のデジタルアナログ変換器とをさらに備える。
【００２０】
この場合、第１のデジタルアナログ変換器が第２のＬチャンネルオーディオ信号をＬチャンネルのアナログオーディオ信号に変換し、第２のデジタルアナログ変換器が第２のＲチャンネルオーディオ信号をＲチャンネルのアナログオーディオ信号に変換するので、復調手段によって第２のＬチャンネルオーディオ信号と、第２のＲチャンネルオーディオ信号とから、第１のデジタルオーディオ信号の前記配列データを生成する必要がない。
【発明の効果】
【００２１】
本発明は上記構成を有することにより、ＬチャンネルのオーディオデータとＲチャンネルのオーディオデータとをワード単位で交互にシリアルに配列してなる配列データと、前記配列データのワードデータを識別するためのワードクロックと、前記配列データのビットデータを識別するためのビットクロックとで構成されるデジタルオーディオ信号をパルストランスによって絶縁することができるオーディオ信号伝送装置を提供することができる。
【図面の簡単な説明】
【００２２】
【図１】本発明の好ましい実施形態によるオーディオ信号伝送装置１を示すブロック図である。
【図２】第２のＬチャンネルオーディオ信号と、第２のＲチャンネルオーディオ信号とを示す模式図である。
【図３】本発明の好ましい実施形態によるオーディオ信号伝送装置１１を示すブロック図である。
【図４】第１のデジタルオーディオ信号（Ｉ２Ｓフォーマット）を示す模式図である。
【図５】第２のＦＬチャンネルオーディオ信号と、第２のＳＬチャンネルオーディオ信号とを示す模式図である。
【図６】第１のデジタルオーディオ信号（Ｉ２Ｓフォーマット）を示す模式図である。
【発明を実施するための形態】
【００２３】
以下、本発明の好ましい実施形態について、図面を参照して具体的に説明するが、本発明はこれらの実施形態には限定されない。図１は、本発明の好ましい実施形態によるオーディオ信号伝送装置１を示すブロック図である。
【００２４】
オーディオ信号伝送装置１には、Ｉ２Ｓといったシリアルデータフォーマットの第１のデジタルオーディオ信号が入力される。
【００２５】
図６は、Ｉ２Ｓのデジタルオーディオ信号を示す図である。Ｉ２Ｓのデジタルオーディオ信号は、ＬチャンネルのオーディオデータとＲチャンネルのオーディオデータとを混合したオーディオデータＤＡＴＡ（以下、ＤＡＴＡ信号という。）と、このＤＡＴＡ信号のワードデータを識別するためのワードクロックＬＲＣＫ（以下、ＬＲＣＫ信号という。）と、オーディオデータＤＡＴＡのビットデータを識別するためのビットクロックＢＣＬＫ（以下、ＢＣＬＫ信号という。）とで構成されている。
【００２６】
より具体的には、ＤＡＴＡ信号は、同一のサンプリング位置のＬチャンネルのデータＤＬｉとＲチャンネルのデータＤＲｉとをペアにし、各ペアをサンプリング順に配列したシリアルのデータ（ＤＬ１／ＤＲ１、ＤＬ２／ＤＲ２、…ＤＬｍ／ＤＲｍ）である。なお、データＤＬｉ、ＤＲｉは、それぞれｎビットデータで構成され、このｎビットデータが１ワードデータに相当する。
【００２７】
ＬＲＣＫ信号は、ＤＡＴＡ信号の１ワードデータＤＬｉ／ＤＲｉを１周期とするクロックであり、図６では、ＬＲＣＫ信号のハイレベルの期間がＤＡＴＡ信号のＬチャンネルのワードデータＤＬｉに同期し、ＬＲＣＫ信号のローレベルの期間がＤＡＴＡ信号のＲチャンネルのワードデータＤＲｉに同期している。ＢＣＬＫ信号は、ＤＡＴＡ信号のビットデータに同期したクロックである。
【００２８】
図１に示すように、オーディオ信号伝送装置１は、変調部２と、パルストランス３と、復調部４と、ＤＡＣ５とを概略備えている。復調部４およびＤＡＣ５は後段回路を構成する。
【００２９】
変調部２は、第１のデジタルオーディオ信号のＤＡＴＡ信号、ＢＣＬＫ信号、ＬＲＣＫ信号が供給される。変調部２は、第１のデジタルオーディオ信号のＤＡＴＡ信号から、ＢＣＬＫ信号やＬＲＣＫ信号を使用して、ＬＲＣＫ信号の一方のレベルの期間にＬチャンネルのデータＤＬｉを含み、かつ、ＬＲＣＫ信号の他方のレベルの期間にＬチャンネルのデータＤＬｉの補数を含む第２のＬチャンネルオーディオ信号を生成する。また、変調部２は、第１のデジタルオーディオ信号のＤＡＴＡ信号から、ＢＣＬＫ信号やＬＲＣＫ信号を使用して、ＬＲＣＫ信号の他方のレベルの期間にＲチャンネルのデータＤＲｉを含み、かつ、ＬＲＣＫ信号の一方のレベルの期間にＲチャンネルのデータＤＬｉの補数を含む第２のＲチャンネルオーディオ信号を生成する。
【００３０】
図２は、第２のＬチャンネルオーディオ信号および第２のＲチャンネルオーディオ信号を示す模式図である。図２の例では、第２のＬチャンネルオーディオ信号（Ｄａｔａ  Ｌｃｈ）は、ＬＲＣＫ信号のハイレベルの期間にＬチャンネルのデータＤＬｉを含み、かつ、ＬＲＣＫ信号のローレベルに期間にＬチャンネルのデータＤＬｉの補数を含む。また、第２のＲチャンネルオーディオ信号（Ｄａｔａ  Ｒｃｈ）は、ＬＲＣＫ信号のローレベルの期間にＲチャンネルのデータＤＲｉを含み、かつ、ＬＲＣＫ信号のハイレベルに期間にＲチャンネルのデータＤＲｉの補数を含む。
【００３１】
ＬチャンネルのデータＤＬｉの補数とは、ＬチャンネルのデータＤＬｉの「１」「０」を反転させたデータである。すなわち、ＬチャンネルのデータＤＬｉが、「１０１０１０１・・・」である場合、ＬチャンネルのデータＤＬｉの補数は、「０１０１０１０・・・」となる。同様に、ＲチャンネルのデータＤＲｉの補数とは、ＲチャンネルのデータＤＲｉの「１」「０」を反転させたデータである。すなわち、ＲチャンネルのデータＤＲｉが、「１０１０１０１・・・」である場合、ＲチャンネルのデータＤＲｉの補数は、「０１０１０１０・・・」となる。
【００３２】
より具体的には、変調部２は、まず、第１のデジタルオーディオ信号のＤＡＴＡ信号をコピーして、第１のデジタルオーディオ信号のＤＡＴＡ信号を２つ生成する。変調部２は、ＤＡＴＡ信号の一方について、ＬＲＣＫ信号に基づいて、ＬＲＣＫ信号のハイレベルの期間のデータ（ＬチャンネルのデータＤＬｉ）をそのままの状態とし、ＬＲＣＫ信号のローレベルの期間のデータ（ＲチャンネルのデータＤＲｉ）を、ＬチャンネルのデータＤＬｉの補数に置換することによって、第２のＬチャンネルオーディオ信号を生成する。さらに、変調部２は、ＤＡＴＡ信号の他方について、ＬＲＣＫ信号に基づいて、ＬＲＣＫ信号のローレベルの期間のデータ（ＲチャンネルのデータＤＲｉ）をそのままの状態とし、ＬＲＣＫ信号のハイレベルの期間のデータ（ＬチャンネルのデータＤＬｉ）を、ＲチャンネルのデータＤＲｉの補数に置換することによって、第２のＲチャンネルオーディオ信号を生成する。
【００３３】
パルストランス３は、絶縁素子である。パルストランス３は、第１のデジタルオーディオ信号のうちのＬＲＣＫ信号およびＢＣＬＫ信号が供給され、ＬＲＣＫ信号およびＢＣＬＫ信号を後段回路であるＤＡＣ５に供給する。パルストランス３は、変調部２から、第２のＬチャンネルオーディオ信号および第２のＲチャンネルオーディオ信号が供給され、第２のＬチャンネルオーディオ信号および第２のＲチャンネルオーディオ信号を後段回路である復調部４に供給する。
【００３４】
復調部４は、パルストランス３から、第２のＬチャンネルオーディオ信号および第２のＲチャンネルオーディオ信号が供給される。復調部４は、また、パルストランス３から、ＢＣＬＫ信号やＬＲＣＫ信号が供給される。復調部４は、供給された第２のＬチャンネルオーディオ信号および第２のＲチャンネルオーディオ信号から、ＢＣＬＫ信号やＬＲＣＫ信号を使用して、図６に示す第１のデジタルオーディオ信号のうちのＤＡＴＡ信号を生成する。生成した第１のデジタルオーディオ信号のＤＡＴＡ信号が、ＤＡＣ５に供給される。
【００３５】
より具体的には、復調部４は、第２のＬチャンネルオーディオ信号について、ＬＲＣＫ信号のハイレベルの期間のデータ（ＬチャンネルのデータＤＬｉ）を抽出し、第２のＲチャンネルオーディオ信号について、ＬＲＣＫ信号のローレベルの期間のデータ（ＲチャンネルのデータＤＲｉ）を抽出し、抽出したこれらのデータをＬＲＣＫ信号に基づいて結合することによって、第１のデジタルオーディオ信号を生成する。
【００３６】
ＤＡＣ５は、パルストランス３から、第１のデジタルオーディオ信号のうちのＬＲＣＫ信号およびＢＣＬＫ信号が供給される。ＤＡＣ５は、復調部４から、第１のデジタルオーディオ信号のＤＡＴＡ信号が供給される。ＤＡＣ５は、供給された第１のデジタルオーディオ信号のＤＡＴＡ信号を、ＬＲＣＫ信号およびＢＣＬＫ信号を使用してアナログオーディオ信号（Ｌチャンネルのアナログオーディオ信号およびＲチャンネルのアナログオーディオ信号）に変換し、さらに後段（例えば、増幅回路など）に供給する。
【００３７】
オーディオ信号伝送装置１の作用効果を説明する。
第２のＬチャンネルオーディオ信号は、ＬＲＣＫ信号のハイレベルの期間にＬチャンネルのデータＤＬｉを含み、かつ、ＬＲＣＫ信号のローレベルに期間にＬチャンネルのデータＤＬｉの補数を含む。また、第２のＲチャンネルオーディオ信号は、ＬＲＣＫ信号のローレベルの期間にＲチャンネルのデータＤＲｉを含み、かつ、ＬＲＣＫ信号のハイレベルの期間にＲチャンネルのデータＤＲｉの補数を含む。
【００３８】
ここで、オーディオ信号が無音（振幅値が０Ｖ）である場合に、ＤＡＴＡ信号のＬチャンネルのデータＤＬｉは、「００００００００・・・」と「０」が続き、直流信号となってしまう。しかし、第２のＬチャンネルオーディオ信号は、ＬＲＣＫ信号のハイレベルの期間においては「０００００・・」であり、ＬＲＣＫ信号のローレベルの期間においては「１１１１１・・」であるので、その結果、第２のＬチャンネルオーディオ信号は交流信号と見なすことが可能となる。従って、第２のＬチャンネルオーディオ信号を、パルストランス３を使用して絶縁することができる。
【００３９】
同様に、オーディオ信号が無音（振幅値が０Ｖ）である場合に、ＤＡＴＡ信号のＲチャンネルのデータＤＲｉは、「００００００００・・・」と「０」が続き、直流信号となってしまう。しかし、第２のＲチャンネルオーディオ信号は、ＬＲＣＫ信号のローレベルの期間においては「０００００・・」であり、ＬＲＣＫ信号のハイレベルの期間においては「１１１１１・・」であるので、その結果、第２のＲチャンネルオーディオ信号は交流信号と見なすことが可能となる。従って、第２のＲチャンネルオーディオ信号を、パルストランス３を使用して絶縁することができる。
【００４０】
図３は、本発明の別の好ましい実施形態によるオーディオ信号伝送装置１１を示すブロック図である。オーディオ信号伝送装置１１は、第２のＬチャンネルオーディオ信号をＬチャンネルのアナログオーディオ信号に変換するＤＡＣ５１と、第２のＲチャンネルオーディオ信号をＲチャンネルのアナログオーディオ信号に変換するＤＡＣ５２とが個別に設けられている。この場合、復調部において、第２のＬチャンネルオーディオ信号および第２のＲチャンネルオーディオ信号から、図６に示す第１のデジタルオーディオ信号のうちのＤＡＴＡ信号を生成する必要がない。従って、復調部を省略することができる。
【００４１】
詳細には、ＤＡＣ５１は、パルストランス３から、第１のデジタルオーディオ信号のＬＲＣＫ信号およびＢＣＬＫ信号が供給され、かつ、第２のＬチャンネルオーディオ信号が供給される。ＤＡＣ５１は、供給された第２のＬチャンネルオーディオ信号のうちのＬチャンネルのデータＤＬｉを、ＬＲＣＫ信号およびＢＣＬＫ信号を使用してＬチャンネルのアナログオーディオ信号に変換し、さらに後段（例えば、増幅回路など）に供給する。つまり、ＤＡＣ５１では、第２のＬチャンネルオーディオ信号のうちのＬチャンネルのデータＤＬｉの補数は無視される。
【００４２】
ＤＡＣ５２は、パルストランス３から、第１のデジタルオーディオ信号のＬＲＣＫ信号およびＢＣＬＫ信号が供給され、かつ、第２のＲチャンネルオーディオ信号が供給される。ＤＡＣ５２は、供給された第２のＲチャンネルオーディオ信号のうちのＲチャンネルのデータＤＲｉを、ＬＲＣＫ信号およびＢＣＬＫ信号を使用してＲチャンネルのアナログオーディオ信号に変換し、さらに後段（例えば、増幅回路など）に供給する。つまり、ＤＡＣ５１では、第２のＲチャンネルオーディオ信号のうちのＲチャンネルのデータＤＲｉの補数は無視される。
【００４３】
なお、上記各実施形態において、Ｌチャンネルは、ブルーレイディスク等に採用される、フロントＬチャンネル、サラウンドＬチャンネル、サラウンドバックＬチャンネル、フロントハイＬチャンネル、フロントワイドＬチャンネル等の意味を包含する。同様に、Ｒチャンネルは、ブルーレイディスク等に採用される、フロントＲチャンネル、サラウンドＲチャンネル、サラウンドバックＲチャンネル、フロントハイＲチャンネル、フロントワイドＲチャンネル等の意味を包含する。
【００４４】
本発明のさらに別の好ましい実施形態を説明する。本実施形態における第１のデジタルオーディオ信号は、図４に示すように、ＬチャンネルのデータＤＬｉの代わりにフロントＬチャンネルのデータＤＦＬｉが採用され、ＲチャンネルのデータＤＲｉの代わりにサラウンドＬチャンネルのデータＤＳＬｉが採用されている。このような場合、図５に示すように、オーディオ信号伝送装置は、第２のフロントＬチャンネルオーディオ信号と、第２のサラウンドＬチャンネルオーディオ信号とを生成し、パルストランスを使用して絶縁する。このように、各チャンネルを一般化して定義すると、第１チャンネルおよび第２チャンネルということができる。
【００４５】
第１チャンネルは、例えば、フロントＬチャンネル、サラウンドＬチャンネル、サラウンドバックＬチャンネル、フロントハイＬチャンネル、フロントワイドＬチャンネル、フロントＲチャンネル、サラウンドＲチャンネル、サラウンドバックＲチャンネル、フロントハイＲチャンネル、フロントワイドＲチャンネル、センターチャンネルおよびサブウーファチャンネルの中から選択された１つのチャンネルであればよい。
【００４６】
第２チャンネルは、例えば、フロントＬチャンネル、サラウンドＬチャンネル、サラウンドバックＬチャンネル、フロントハイＬチャンネル、フロントワイドＬチャンネル、フロントＲチャンネル、サラウンドＲチャンネル、サラウンドバックＲチャンネル、フロントハイＲチャンネル、フロントワイドＲチャンネル、センターチャンネルおよびサブウーファチャンネルの中から選択された１つのチャンネルであって、第１チャンネルと異なるチャンネルであればよい。
【００４７】
以上、本発明の好ましい実施形態について説明したが、本発明はこれらの実施形態には限定されない。
【産業上の利用可能性】
【００４８】
本発明は、オーディオ装置におけるデジタルオーディオ信号伝送装置に好適に採用され得る。
【符号の説明】
【００４９】
１              オーディオ信号伝送装置
２              変調部
３              パルストランス
４              復調部
５              ＤＡＣ
５１            ＤＡＣ
５２            ＤＡＣ
【図１】
2013026925.tif 000003
【図２】
2013026925.tif 000004
【図３】
2013026925.tif 000005
【図４】
2013026925.tif 000006
【図５】
2013026925.tif 000007
【図６】
2013026925.tif 000008